(57)【要約】【課題】カウンターの取付作業を簡略化することができるとともに、取付精度を向上させることができる浴室のカウンターおよび浴室を提供する。【解決手段】浴室の壁面に固定されているとともに、上端部に水平に延びる溝部２７を有するレール状の取付下地材２５と、この取付下地材２５の溝部２７に係止されているとともに、浴室の壁面に固定されている固定金具３１、３２、３３と、取付下地材２５の溝部２７に係止されているとともに、固定金具３１、３２、３３に固定されているカウンターの天板１１と、固定部材３１、３２、３３に固定されているカウンターのエプロン１２、１４とを備えている。【選択図】　　　図３
2004113510.tif 000002
【特許請求の範囲】
【請求項１】
浴室の壁面に固定されているとともに、上端部に水平に延びる溝部を有するレール状の取付下地材と、
この取付下地材の前記溝部に係止されているとともに、前記浴室の前記壁面に固定されている固定部材と、
前記取付下地材の前記溝部に係止されているとともに、前記固定部材に固定されているカウンターの天板と、
前記固定部材に固定されているカウンターのエプロンと、
を備えていることを特徴とする浴室のカウンター。
【請求項２】
請求項１に記載のカウンターを備えていることを特徴とする浴室。
【発明の詳細な説明】
【０００１】
【発明の属する技術分野】
本発明は、浴室のカウンターおよびこのカウンターを備えた浴室に関する。
【０００２】
【従来の技術】
従来、浴室にカウンターを設ける場合、浴室の壁面に複数個の固定部材（支持具）を取り付け、これらの固定部材にカウンターを固定している（例えば、特許文献１参照）。
【０００３】
【特許文献１】
特開平７−４０８０号公報
【０００４】
【発明が解決しようとする課題】
しかしながら、このような従来の浴室のカウンターにあっては、カウンターの天板およびエプロン（前板）を所定の位置に取り付けるために、複数個の固定部材を取り付けるための下穴をそれぞれ、上下および左右の寸法に留意しながら墨出ししてあけ、その後各固定部材をそれぞれ正確に位置固定して浴室の壁面に固定する必要があるため、カウンターの取付作業が煩雑であるとともに、各固定部材を浴室の壁面に精度良く取り付けるのは困難で、カウンターの取付精度に限界があるという問題がある。
【０００５】
本発明は、上記事情に鑑みて為されたもので、カウンターの取付作業を簡略化することができるとともに、取付精度を向上させることができる浴室のカウンターおよび浴室を提供することを目的とする。
【０００６】
【課題を解決するための手段】
上記目的を達成するために、請求項１に記載の浴室のカウンターは、浴室の壁面に固定されているとともに、上端部に水平に延びる溝部を有するレール状の取付下地材と、この取付下地材の前記溝部に係止されているとともに、前記浴室の前記壁面に固定されている固定部材と、前記取付下地材の前記溝部に係止されているとともに、前記固定部材に固定されているカウンターの天板と、前記固定部材に固定されているカウンターのエプロンと、を備えていることを特徴とする。
【０００７】
【課題を解決するための手段】
請求項２に記載の浴室は、請求項１に記載のカウンターを備えていることを特徴とする。
【０００８】
請求項１および請求項２に記載の発明において、浴室にカウンターを取り付けるには、まず、浴室の壁面にレール状の取付下地材を水平に取り付ける。次いで、この取付下地材の溝部に固定部材を係止させて、固定部材を浴室の壁面に取り付ける。次いで、取付下地材の溝部に天板を係止させて、天板を固定部材に固定する。次いで、エプロンを固定部材に固定する。
なお、天板を固定部材に固定した後、天板および固定部材を係止させて、固定部材を浴室の壁面に固定することもできる。
【０００９】
これらの各発明においては、レール状の取付下地材を浴室の壁面に水平に取り付け、この取付下地材の溝部に、固定部材およびカウンターの天板を係止させるので、取付下地材を基準に固定部材およびカウンターの天板を壁面に固定することができる。また、このように固定された固定部材に、エプロンを固定することができる。したがって、固定部材およびカウンターの天板、さらにはエプロンの取付作業を簡単に行うことができるとともに、これらの部材の取付精度を向上させることができる。
【００１０】
【発明の実施の形態】
以下、本発明の実施の形態を図面を参照して説明する。
図１は、本発明の実施の形態に係るカウンターが設置されている浴室を示す図であり、図２は、浴室のカウンター部の斜視図であり、図３は、カウンター部の分解斜視図であり、図４は、カウンター部の正面図であり、図５は、カウンター部の下面図であり、図６はカウンター部の左側面図であり、図７は、図４のＡ−Ａ線に沿う断面図であり、図８は、図４のＢ−Ｂ線に沿う断面図であり、図９は、図４のＣ−Ｃ線に沿う断面図であり、図１０は、図４のＤ−Ｄ線に沿う断面図であり、図１１は、図４のＥ−Ｅ線に沿う断面図である。
【００１１】
本実施の形態に係るカウンター１は、浴室２の１つの壁面３の所定高さの位置に、壁面３と隣接する洗い場４側の壁面５から浴槽６の一部に渡って設置されている。
カウンター１は、浴室２の壁面３から突出する箱状に形成されており、壁面３から前方に水平に延びる天板１１と、前壁、下壁および側壁を形成するエプロン１２、水栓ボックス１３および収納部エプロン（エプロン）１４とを備えている。エプロン１２、水栓ボックス１３および収納部エプロン１４は、図２および図３において、前側から見て左側からこの順に配置されている。
【００１２】
エプロン１２内には、浴槽６に給湯または給水するための浴槽水栓が収納され、このエプロン１２の前面および下面からそれぞれ、浴槽吐水ハンドル１６および浴槽吐出パイプ１７が突出されている。また、水栓ボックス１３内には、洗い場４に給湯または給水するための洗い場水栓が収納され、水栓ボックス１３の前面から洗い場吐水・シャワー切替ハンドル１８および温度調節ハンドル１９が突出されている。なお、シャワーおよび洗い場吐水パイプは図示を省略されている。また、収納部エプロン１４には、収納棚２１が設けられており、この収納棚２１に石鹸等を置くことができるようになっている。天板１１、エプロン１２、収納部エプロン１４および収納棚２１はともに合成樹脂からなり、水栓ボックスはアルミニウム合金の形材から構成されている。
【００１３】
浴室２の壁面３には、所定高さの位置に、ステンレス鋼板からなるレール状の取付下地材２５が、壁面３と隣接する洗い場４側の壁面５から浴槽６の一部に渡って水平に延びるようにして、ねじ２６により固定されている。この取付下地材２５の上端部は、壁面３から離れるようにＬ字状に折曲されており、これにより側面視において四角形の水平に延びる溝部２７が形成されている。このＬ字状の部分の上端縁部はさらに壁面３から離れる方向に水平に折曲されて、水平部２８が形成されている。
【００１４】
この取付下地材２５には、図３において左から順に、固定部材３１、固定部材３２および３つの固定部材３３が横方向に所定の間隔をおいて係止されている。すなわち、固定部材３１、固定部材３２および固定部材３３はともに、ステンレス鋼板が溶接等により概略四角枠状に形成されたものであって、各後壁３７、３８、３９の上部が前方に向けて傾斜されているとともに、水平に延びる各上壁４１、４２、４３の後端部には、下方に垂直に折曲された折曲部４４、４５、４６が形成されており、これらの折曲部４４、４５、４６がそれぞれ、取付下地材２５の溝部２７内に挿入されて引っ掛けられている。
これらの固定部材３１、固定部材３２および固定部材３３の各後壁３７、３８、３９はそれぞれ、前壁４７、４８、４９に形成されている貫通孔５１、５２、５３を通して、壁面３にねじ止めされたねじ５５により壁面３に固定されている。
【００１５】
また、取付下地材２５には、水栓ボックス１３が係止されている。すなわち、この水栓ボックス１３は、断面形状が概略Ｌ字状のアルミニウム合金からなる形材６１、６２がねじ６３、６４により互いに固定されて、概略角筒状に形成されている。水栓ボックス１３の後壁６５の上部は上に向かうにつれて壁面３から離れるように階段状に形成されているとともに、水平に延びる上壁６６の後端部には、下方に垂直に折曲された折曲部６７が形成されており、この折曲部６７が取付下地材２５の溝部２７内に挿入されて引っ掛けられている。後壁６５の後面の下部は、壁面３に当接されている。
【００１６】
また、水栓ボックス１３には、後壁６５の両側端部にそれぞれ、図示しないステーが取り付けられており、これらのステーを介して後壁６５が壁面３にねじにより固定されている。また、上壁６６の両側端部にはそれぞれ、ボルト挿通孔６８が形成されている。
水栓ボックス１３の上壁６６の前端部は、下方に折り曲げられているとともに、前壁７１の上端部には、上に向かって板状に垂直に延びる板状部７２が形成されている。
【００１７】
水栓ボックス１３には、洗い場４に給湯または給水するための洗い場水栓７４が取り付けられている。すなわち、洗い場水栓７４の水栓本体７５が水栓ボックス１３内に収納されて、水栓ボックス１３の前壁７１に固定されているとともに、この水栓本体７５に、洗い場吐水・シャワー切替ハンドル１８および温度調節ハンドル１９が、水栓ボックス１３の前壁７１から前方に突出されて取り付けられている。また、水栓本体７５の下部には、シャワーおよび洗い場吐水パイプを取り付けるための配管継手７６、７７がそれぞれ、水栓ボックス１３の下壁７８から下方に突出するように設けられている。
【００１８】
洗い場水栓７４の水栓本体７５には、壁面３からエプロン１２内に突出されている給湯用止水栓８１および給水用止水栓８２がそれぞれ、配管８３および配管８４により接続されている。給湯用止水栓８１は、水栓本体７５に温度調節側から接続されている。水栓本体７５と後述する浴槽水栓８５とは、配管８６により接続されており、これにより洗い場水栓７４を介して浴槽水栓８５に給湯または給水される。
【００１９】
洗い場水栓７４の水栓本体７５に配管８３、８４、８６が取り付けられ、この状態で洗い場水栓７４が、水栓ボックス１３の前側の形材６１に取り付けられ、その後形材６１に形材６２がねじ６３、６４により取り付けられ、これにより水栓本体７５、洗い場吐水・シャワー切替ハンドル１８、温度調節ハンドル１９、配管継手７６、７７および配管８３、８４、８６が水栓ボックス１３に一体的に組み込まれた水栓ボックスユニットＫが構成され、この水栓ボックスユニットＫの状態で、壁面３に取り付けられる。
【００２０】
天板１１は、細長い板状に形成されており、後端が壁面３に沿って延びかつ壁面３に当接されているとともに、壁面５側の側端がこの壁面５に沿って延びかつ壁面５に当接されている。天板１１の前端は、壁面３から所定の奥行をもって、壁面３と平行に延びており、そして浴槽６側の端部分が端に向かって漸次奥行が狭くなるように円弧状に形成されている。
【００２１】
この天板１１の後端部には、下方に向かって垂直に折曲された折曲部９１が形成されており、この折曲部９１が取付下地材２５の溝部２７に挿入されて引っ掛けられている。また、天板１１の前端部および浴槽６側の側端部には、下方に向かって垂直に折曲された折曲部９２が形成されており、この折曲部９２の下端部内側には、段部９３が形成されている。この段部９３に水栓ボックス１３の前壁７１の板状部７２の上端部が差し込まれている。また、天板１１の平板部９４上には、シャンプーなどの浴室用品を置くことができるようになっている。この平板部９４の下面には、下方に突出するリブ部９５が所定位置に複数個形成されており、各リブ部９５には、雌ねじ９６が埋設されている。所定のリブ９５の雌ねじ９６に、ボルト９７が水栓ボックス１３の上壁６６のボルト挿通孔６８を通してねじ込まれ、これにより天板１１が水栓ボックス１３の上壁６６に固定されている。
【００２２】
また、天板１１の所定のリブ９５の雌ねじ９６にはそれぞれ、固定部材３１、固定部材３２および固定部材３３の各上壁４１、４２、４３に形成されたボルト挿通孔１０１、１０２、１０３を通して、蝶ボルト１０４がねじ込まれ、これにより天板１１が各固定部材３１、３２、３３の各上壁４１、４２、４３に固定されている。
【００２３】
エプロン１２は、カウンター１の左側の前壁、側壁および底壁を形成するものであり、側壁１１１と、左半分がこの側壁１１１に向かうにつれて浴室２の壁面３に近づくように湾曲している前壁１１２と、これらの側壁１１１と前壁１１２の下端から壁面３に向かって水平に延びている底壁１１３とを備えている。側壁１１１および前壁１１２の上端部には、段部１１５が形成されており、この段部１１５が天板１１の折曲部９２の段部９３に嵌合されている。底壁１１３の後端は、壁面３に当接されている。前壁１１２および底壁１１３の水栓ボックス１３側の端部は、水栓ボックス１３の端部を覆うように重ねられている。また、固定部材３１、３２および左側の固定部材３３の各底壁１１７、１１８、１１９の内側に設けられているナット部１２１に、ボルト１２２が、エプロン１２の底壁１１３のボルト挿通孔を通してねじ込まれることにより、各固定部材３１、３２、３３の各底壁１１７、１１８、１１９にエプロン１２の底壁１１３が固定されている。
【００２４】
固定部材３１の底壁１１７には、配管継手１２５がこの底壁１１７およびエプロン１２の底壁１１３を貫通して下方に突出され、底壁１１７および底壁１１３に締め付けられて固定されている。配管継手１２５の下端部には、浴槽吐出パイプ１７が取り付けられ、上端部には浴槽水栓８５に接続された配管１２７が取り付けられている。
【００２５】
固定部材３２内には、浴槽水栓８５の水栓本体１３１が収納されて、固定部材３２の前壁４８に固定されているとともに、この水栓本体１３１に、浴槽吐水ハンドル１６が前壁４８およびエプロン１２の前壁１１２から前方に突出されて取り付けられている。
【００２６】
収納部エプロン１４は、カウンター１の水栓ボックス１３の右側の前壁、側壁および底壁を形成するものであり、壁面３側に四角状に大きく凹んだ凹部を有している。門形の前壁１４１の上端部には、段部１４２が形成されており、この段部１４２が天板１１の折曲部９２の段部９３に嵌合されている。また、平面視において門形の底壁１４３の後端は、壁面３に当接されている。前壁１４１および底壁１４３の水栓ボックス１３側の端部は、水栓ボックス１３の端部を覆うように重ねられている。また、真中および右側の固定部材３３の各底壁１１９の内側に設けられているナット部１２１に、ボルト１２２が、収納部エプロン１４の底壁１４３のボルト挿通孔を通してねじ込まれることにより、各固定部材３３の各底壁１１９に収納部エプロン１４の底壁１１９が固定されている。収納部エプロン１４の凹部には、Ｌ字板状の収納棚２１が配置され、ねじ１４５により壁面３に固定されている。
【００２７】
次に、このような浴室のカウンターの取付方法を説明する。
まず、浴室２の壁面３の所定高さの位置に、取付下地材２５を、壁面３と隣接する洗い場４側の壁面５から浴槽６の一部に渡って水平に、ねじ２６により固定する。
【００２８】
次いで、水栓ボックスユニットＫ、固定部材３１、固定部材３２および３つの固定部材３３を、それぞれ壁面３に取り付ける。
【００２９】
この場合、水栓ボックスユニットＫは、次にようにして予め組み立てておく。すなわち、洗い場水栓７４の水栓本体７５に配管８３、８４、８６を取り付け、次いで、この状態で洗い場水栓７４を水栓ボックス１３の前側の形材６１に取り付け、次いで、形材６１に形材６２をねじ６３、６４により取り付けて、水栓本体７５、洗い場吐水・シャワー切替ハンドル１８、温度調節ハンドル１９、配管継手７６、７７および配管８３、８４、８６を水栓ボックス１３に一体的に組み付ける。
また、予め、固定部材３１に、配管継手１２５を取り付けておく。
また、予め、固定部材３２に、浴槽水栓８５の水栓本体１３１を取り付けておく。この水栓本体１３１には、配管１２７を接続しておく。
【００３０】
水栓ボックスユニットＫ、固定部材３１、固定部材３２および３つの固定部材３３を、それぞれ壁面３に取り付けるには、まず、取付下地材２５を基準にこれらの各部材を取り付けるための墨出しをして、下穴をあける。
そして、水栓ボックス１３の折曲部６７を取付下地材２５の溝部２７に挿入して引っ掛けるとともに、水栓ボックス１３に取り付けられているステーを壁面３にねじで固定して、水栓ボックスユニットＫを取り付ける。なお、配管継手７６、７７にはそれぞれシャワーおよび洗い場吐水パイプが取り付けられる。
また、固定部材３１、固定部材３２および各固定部材３３の各折曲部４４、４５、４６をそれぞれ、取付下地材２５の溝部２７内に挿入して引っ掛けるとともに、各後壁３７、３８、３９をそれぞれ、ねじ５５により壁面３に固定して、固定部材３１、固定部材３２および各固定部材３３を取り付ける。
【００３１】
次いで、配管８３、８４、８６をそれぞれ、給湯用止水栓８１、給水用止水栓８２および浴槽水栓８５の水栓本体１３１に接続する。なお、給湯用止水栓８１および給水用止水栓８２は予め壁面３から突出するようにして取り付けておく。
また、配管１２７を配管継手１２５に接続する。
【００３２】
次いで、天板１１を水栓ボックス１３、固定部材３１、固定部材３２および３つの固定部材３３上に載置する。このとき、天板１１の折曲部９１を取付下地材２５の溝部２７に折曲部９１の後面を壁面３に当接させつつ挿入して引っ掛けるとともに、折曲部９２の段部９３に水栓ボックス１３の板状部７２の上端部を差し込みつつ、天板１１を水栓ボックス１３、固定部材３１、固定部材３２および３つの固定部材３３上に載置し、その後取付下地材２５の溝部２７に沿って天板１１を壁面５側にそのままの状態で少し横移動させて、壁面５に当接させる。その後、天板１１のリブ９５の雌ねじ９６にボルト９７をねじ込んで、天板１１を水栓ボックス１３の上壁６６に固定するとともに、天板１１のリブ９５の雌ねじ９６に蝶ボルト１０４をねじ込んで、天板１１を各固定部材３１、３２、３３の各上壁４１、４２、４３に固定する。
【００３３】
なお、壁面３に、水栓ボックスユニットＫ、固定部材３１、固定部材３２および３つの固定部材３３を取り付けた後に、これらに天板１１を固定するようにしたが、これに代えて、水栓ボックスユニットＫ、固定部材３１、固定部材３２および３つの固定部材３３に天板１１を固定した後に、水栓ボックス１３、固定部材３１、固定部材３２および３つの固定部材３３を壁面３に取り付けるようにしてもよい。
すなわち、天板１１の折曲部９２の段部９３に水栓ボックス１３の板状部７２の上端部を差し込みつつ、天板１１のリブ９５の雌ねじ９６にボルト９７をねじ込んで、天板１１を水栓ボックス１３の上壁６６を固定して、天板１１を水栓ボックスユニットＫに固定する。また、天板１１のリブ９５の雌ねじ９６に蝶ボルト１０４をねじ込んで、天板１１を各固定部材３１、３２、３３の各上壁４１、４２、４３に固定して、天板１１を、配管継手１２５が取り付けられた固定部材３１、浴槽水栓８５の水栓本体１３１および配管１２７が取り付けられた固定部材３２、ならびに３つの固定部材３３に固定する。次いで、水栓ボックスユニットＫ、固定部材３１、固定部材３２および３つの固定部材３３をそれぞれ、壁面３に取り付けるために、まず、取付下地材２５を基準にこれらの各部材を取り付けるための墨出しをして、下穴をあける。次いで、水栓ボックス１３の折曲部６７および天板１１の折曲部９１を取付下地材２５の溝部２７に挿入して引っ掛けるとともに、水栓ボックス１３に取り付けられているステーを壁面３にねじで固定して、水栓ボックスユニットＫを取り付ける。また、固定部材３１、固定部材３２および各固定部材３３の各折曲部４４、４５、４６および天板１１の折曲部９１をそれぞれ、取付下地材２５の溝部２７内に挿入して引っ掛けるとともに、各後壁３７、３８、３９をそれぞれ、ねじ５５により壁面３に固定して、固定部材３１、固定部材３２および各固定部材３３を取り付ける。
【００３４】
次いで、エプロン１２を取り付ける。すなわち、エプロン１２の段部１１５を天板１１の折曲部９２の段部９３に嵌合させた状態で、固定部材３１、３２および左側の固定部材３３の各底壁１１７、１１８、１１９の各ナット部１２１に、ボルト１２２をねじ込んで、各固定部材３１、３２、３３の各底壁１１７、１１８、１１９にエプロン１２の底壁１１３を固定する。
その後、配管継手１２５に浴槽吐出パイプ１７を取り付けるとともに、洗い場水栓７４の水栓本体７５に浴槽吐水ハンドル１６を取り付ける。
【００３５】
次いで、収納部エプロン１４を取り付ける。すなわち、収納部エプロン１４の段部１４２を天板１１の折曲部９２の段部９３に嵌合させた状態で、真中および右側の固定部材３３の各底壁１１９の各ナット部１２１に、ボルト１２をねじ込んで、各固定部材３３の各底壁１１９に収納部エプロン１４の底壁１１９を固定する。
その後、収納部エプロン１４の凹部に収納棚２１を配置し、ねじ１４５により壁面３に固定する。
【００３６】
このように構成された浴室のカウンターおよびこのカウンターを備えた浴室にあっては、レール状の取付下地材２５を浴室２の壁面３に水平に取り付け、この取付下地材２５の溝部２７に、各固定部材３１、３２、３３および水栓ボックス１３、ならびにカウンター１の天板１１を係止させるので、取付下地材２５を基準に各固定部材３１、３２、３３および水栓ボックス１３、ならびにカウンター１の天板１１を壁面３に固定することができ、またこのように固定された各固定部材３１、３２、３３に、エプロン１２および収納部エプロン１４を固定することができる。したがって、各固定部材３１、３２、３３および水栓ボックス１３、ならびにカウンター１の天板１１、さらにはエプロン１２および収納部エプロン１４の取付作業を簡単に行うことができるとともに、これらの部材の取付精度を向上させることができる。
【００３７】
なお、上記実施の形態では、１つのレール状の取付下地材２５を用いたが、複数個の取付下地材を用いて１つの連続したレール状の取付下地材を形成するようにしてもよい。
また、上記実施の形態では、カウンターのエプロンの一部を水栓ボックス１３で構成したが、この部分もエプロン１２により構成するようにしてもよい。
【００３８】
【発明の効果】
以上説明したように、請求項１に記載の浴室のカウンターおよび請求項２に記載の浴室によれば、カウンターの取付作業を簡略化することができるとともに、取付精度を向上させることができる。
【図面の簡単な説明】
【図１】本発明の実施の形態に係るカウンターが設置されている浴室を示す図である。
【図２】浴室のカウンター部の斜視図である。
【図３】カウンター部の分解斜視図である。
【図４】カウンター部の正面図である。
【図５】カウンター部の下面図である。
【図６】カウンター部の左側面図である。
【図７】図４のＡ−Ａ線に沿う断面図である。
【図８】図４のＢ−Ｂ線に沿う断面図である。
【図９】図４のＣ−Ｃ線に沿う断面図である。
【図１０】図４のＤ−Ｄ線に沿う断面図である。
【図１１】図４のＥ−Ｅ線に沿う断面図である。
【符号の説明】
１　　カウンター
２　　浴室
３　　壁面
１１　　天板
１２　　エプロン
１４　　収納部エプロン（エプロン）
２５　　取付下地材
２７　　溝部
３１、３２、３３　　固定部材
【図１】
2004113510.tif 000003
【図２】
2004113510.tif 000004
【図３】
2004113510.tif 000005
【図４】
2004113510.tif 000006
【図５】
2004113510.tif 000007
【図６】
2004113510.tif 000008
【図７】
2004113510.tif 000009
【図８】
2004113510.tif 000010
【図９】
2004113510.tif 000011
【図１０】
2004113510.tif 000012
【図１１】
2004113510.tif 000013